(57)【特許請求の範囲】
【請求項１】
オープン・モバイル・アライアンス・デバイス管理（ＯＭＡ  ＤＭ）起動セッション内の実際の値を利用して、無線ネットワークで動作可能なモバイルデバイスについての値の一意の組み合わせを生成する段階と、
前記値の一意の組み合わせを用いて、あるネットワークサービスプロバイダ（ＮＳＰ）による前記モバイルデバイスの起動を検証する段階と、
を備え、
前記実際の値は、前記ＯＭＡ  ＤＭアクティベーションセッションから取り出され、
前記実際の値は、ＩＰアドレスを含むＤＭサーバパラメータと、認証パラメータのプロビジョンが生じた前記ＤＭアクティベーションセッションのセッションＩＤと、前記認証パラメータのプロビジョンコマンドを含む前記ＤＭアクティベーションセッション内のＤＭメッセージのメッセージＩＤとを含み、
前記実際の値のいずれか又は全ては、特定のＷｉＭＡＸデバイスＩＤおよび特定の日時についてのＮＳＰごとの前記値の一意の組み合わせを生成するために用いられる、
方法。
【請求項２】
前記無線ネットワークは、米国電気電子学会（ＩＥＥＥ）８０２．１６（ＷｉＭＡＸ）規格に準拠して動作する請求項１に記載の方法。
【請求項３】
ＤＭコマンドからの前記実際の値を利用し、サブスクライバセットアップおよび認証セットアップに関する前記ＤＭのツリーのパラメータを操作する段階をさらに備える請求項２に記載の方法。
【請求項４】
前記セッション内の前記ＤＭコマンドは、前記ＯＭＡ  ＤＭセッションの前記ＷｉＭＡＸ規格と、無線（ＯＴＡ）プロビジョンのためのパラメータとに従って規定されたＯＭＡ  ＤＭツリーパスにより検知される請求項３に記載の方法。
【請求項５】
前記ＷｉＭＡＸデバイスＩＤはＭＡＣアドレスであり、前記ＷｉＭＡＸデバイスまたはＮＳＰ以外の実体は、前記ＷｉＭＡＸデバイス上の実際の起動セッションに実際にアクセスを有さない場合には完全な組み合わせを容易には導出することができない請求項１から４のいずれか１項に記載の方法。
【請求項６】
無線ネットワークで動作可能なモバイルデバイスを備える装置であって、
前記モバイルデバイスは、オープン・モバイル・アライアンス・デバイス管理（ＯＭＡ  ＤＭ）起動セッション内の実際の値を利用して、前記モバイルデバイスについての値の一意の組み合わせを生成し、
前記値の一意の組み合わせを用いて、あるネットワークサービスプロバイダ（ＮＳＰ）による前記モバイルデバイスの起動を検証し、
前記実際の値は、前記ＯＭＡ  ＤＭアクティベーションセッションから取り出され、
前記実際の値は、ＩＰアドレスを含むＤＭサーバパラメータと、認証パラメータのプロビジョンが生じた前記ＤＭアクティベーションセッションのセッションＩＤと、前記認証パラメータのプロビジョンコマンドを含む前記ＤＭアクティベーションセッション内のＤＭメッセージのメッセージＩＤとを含み、
前記実際の値のいずれか又は全ては、特定のＷｉＭＡＸデバイスＩＤおよび特定の日時についてのＮＳＰごとの値の一意の組み合わせを生成するために用いられる、
装置。
【請求項７】
前記無線ネットワークは、米国電気電子学会（ＩＥＥＥ）８０２．１６（ＷｉＭＡＸ）規格に準拠して動作する請求項６に記載の装置。
【請求項８】
前記モバイルデバイスは、ＤＭコマンドからの前記実際の値を利用し、サブスクライバセットアップおよび認証セットアップに関する前記ＤＭのツリーのパラメータを操作する請求項７に記載の装置。
【請求項９】
前記セッション内の前記ＤＭコマンドは、前記ＯＭＡ  ＤＭセッションの前記ＷｉＭＡＸ規格と、無線（ＯＴＡ）プロビジョンのためのパラメータとに従って規定されたＯＭＡ  ＤＭツリーパスにより検知される請求項８に記載の装置。
【請求項１０】
前記ＷｉＭＡＸデバイスＩＤはＭＡＣアドレスであり、前記ＷｉＭＡＸデバイスまたはＮＳＰ以外の実体は、前記ＷｉＭＡＸデバイス上の実際の起動セッションに実際にアクセスを有さない場合には完全な組み合わせを容易には導出することができない請求項６から９のいずれか１項に記載の装置。
【発明の詳細な説明】
【背景技術】
【０００１】
これらに限定はされないが、米国電気電子学会（ＩＥＥＥ）８０２．１６（ＷｉＭＡＸ）規格に準拠して動作するものをはじめとする無線ネットワークにおいて動作可能なリテール起動は、ＷｉＭＡＸネットワークおよびＷｉＭＡＸデバイス（例えば、これらに限定はされないがノートブックまたは移動局（ＭＳ）等）の間で、特別なプロビジョンセッションを介して、ＷｉＭＡＸネットワークからＷｉＭＡＸデバイスへとパラメータをプッシュ配信することで可能となり、プッシュ配信には、ＯＭＡ  ＤＭプロトコル（ここでは、図１に１００として概略を示すように「ＯＭＡ  ＤＭセッション」と称すこととする）が利用される。図１は、ＤＭクライアントが１１０で表され、ＤＭサーバが１２０で表され、その間にパッケージ１からパッケージ４の通信セッションが存在している、本発明の一実施形態におけるＯＭＡ  ＤＭセッションの一般的な形態を示す。これらのサブスクリプションに関するパラメータは、各ネットワークサービスプロバイダ（ＮＳＰ）が利用するＷｉＭＡＸのサブスクライバの認証方法、および、自身のサブスクライバを管理するために利用するスキームに応じて、各ＮＳＰで異なっている。
【０００２】
パラメータがＮＳＰごとに変わるために、ＷｉＭＡＸデバイスソフトウェア／ファームウェアは、あるＷｉＭＡＸの起動が、そのＷｉＭＡＸデバイス上の特定のＮＳＰによって実際に行われたかどうか、について信頼できる証明を提供することができない。このような証明を提供する、ということは、実際に起動されていない場合、ＷｉＭＡＸが、自身が有していない情報を生成することができるということを意味しており、ＮＳＰによる検証が必要となる。このような証明は、監査または係争解決等のビジネス上の理由で役に立つ（例えば、デバイス製造会社とＮＳＰとの間で起動に関する収益を分配するような場合）。
【０００３】
ＷｉＭＡＸ規格は、ＷｉＭＡＸデバイスのプロビジョン情報をＷｉＭＡＸキャリア（ＮＳＰ）のプロビジョンサーバがＲＦ経由でＷｉＭＡＸデバイスに送信する、というシステムをとっているＯＭＡ  ＤＭ（オープン・モバイル・アライアンスの規格プロトコルの１つのことである）を利用する、無線によるプロビジョンを定義している。プロビジョン情報の各部分には、互いに密接な繋がりを有しているものがあり（例えば、ユーザネームとパスワードといった具合に）、一緒に利用されないと、ＷｉＭＡＸデバイス上で一貫性が保たれない。
【０００４】
しかし、ＯＭＡ  ＤＭプロビジョンサーバ（ＯＭＡ  ＤＭ規格による）は、各パラメータを送信して、その受領確認を受信する、という作業を別々に行う。この課題を解決する方法は単に、部分的に情報を利用することがないように、殆どのデバイス、特にＷｉＭＡＸデバイスで、プロビジョン情報を、成功したＤＭセッションの最後にしか利用しないようにする、というものである。しかし、上述した実装によって以下のような潜在的な問題が生じる。つまり、ＯＴＡプロビジョンセッション中に接続（ＲＦ、ＩＰその他）の失敗が生じると、デバイスは、情報を利用はできないが、接続切断までＯＭＡ  ＤＭサーバがプッシュ配信したものについて受領確認してしまっている、ということになる。すると、ネットワークのＯＭＡ  ＤＭプロビジョンサーバは、ある特定の情報が実際に損失してしまうまでは、その情報をそのデバイスに既に配信したと認識してしまうので、潜在的な問題である。すると、ＯＭＡ  ＤＭプロビジョンサーバは、そのプロビジョン情報を再度プッシュ配信しないので、ＯＭＡ  ＯＭサーバおよびクライアントは、何らかの外部トリガ（例えばユーザリセット）を利用しないとこのケースから復帰することができなくなり、デバイスの自動プロビジョンは失敗に終わる。
【０００５】
従って、無線ネットワークの起動の証明を生成して、ネットワークプロビジョンセッション中に接続切断を安全に処理する技術の実現が肝要である。
【０００６】
本発明とみなされる主題は、明細書の結論部分で特に指摘、および、明確に請求されている。しかし本発明は、その構成、動作方法、および、主題、特徴、および利点等の全ての観点から、以下の詳細な記載を、添付図面とともに読むことで明らかになる。
【図面の簡単な説明】
【０００７】
【図１】本発明の一実施形態におけるＯＭＡ  ＤＭセッションの一般的な形態を示す。
【図２Ａ】本発明の一実施形態におけるプロビジョンに関するＷｉＭＡＸ  ＯＭＡ  ＤＭツリーである。
【図２Ｂ】本発明の一実施形態におけるプロビジョンに関するＷｉＭＡＸ  ＯＭＡ  ＤＭツリーである。
【発明を実施するための形態】
【０００８】
例示の簡潔性および明瞭性から、図面に示すエレメントは、必ずしも実際の縮尺で描かれていない。例えば、幾つかのエレメントのサイズを、他のエレメントのより大きく示すことで明瞭を期している場合がある。さらに、適切と思われる場合には、図面間で参照番号を繰り返すことで、互いに対応する、または類似したエレメントであることを示している場合もある。
【０００９】
以下の詳細な記載においては、数多くの具体的な詳細を挙げて、本発明の完全な理解を促す。しかし当業者であれば理解するように、本発明は、これら特定の具体的な詳細がなくても実施可能である。公知の方法、手順、コンポーネント、および回路は、本発明を曖昧にしないために詳細には記載しない場合もある。
【００１０】
以下に記載する詳細な記載の一部は、コンピュータメモリ内のデータビットまたは二値のデジタル信号に対する処理のアルゴリズムおよび象徴表現で提示される。これらアルゴリズムによる記載、表現は、データ処理分野の当業者が、自身の業績の本質を他の当業者に伝えるために利用される技術の一つである。一部の実施形態では、これらアルゴリズムおよびデータ処理は、少なくとも部分的にハードウェア、ソフトウェア、またはこれらの組み合わせで実装されるベースバンド周波数、中間周波数（ＩＦ）、または無線周波数におけるアナログ処理を含んでよいが、本発明の範囲はこの点に限定はされない。
【００１１】
ここに記載するアルゴリズムは、概して所望の結果を生じさせる動作および処理の首尾一貫したシーケンスである。これらには、物理量の物理的な操作が含まれる。必ずではないが、通常は、これらの量は、格納、転送、合成、比較、または操作可能な電気信号または磁気信号の形態をとる。主に常用されているという理由から、これら信号をビット、値、エレメント、シンボル、文字、期間（terms）、数などと称する場合もある。しかし、これら、および類似した用語は全て、適切な物理量と関連付けられるものであって、単にこれらの量に付された名前にすぎない。
【００１２】
「処理（processing）」「コンピューティング（computing）」「計算（calculating）」「判断／決定（determining）」といった用語を利用する説明は明細書の随所に見られるが、これらは、特にそうではないと明記していない限りにおいて、コンピュータまたはコンピューティングシステムの動作または処理に係るものであってよく、コンピュータシステムのレジスタまたはメモリの電子量等の物理量で表されるデータを、コンピューティングシステムのメモリ、レジスタ、または他の同様の情報格納、送信、または表示デバイス内の物理量として同様に表される他のデータへと操作または変換するもののことであってよい。
【００１３】
本発明の実施形態は、ここで記載する動作を実行する装置を含んでよい。この装置は、所望の目的に特化して構築されてもよいし、または、デバイスに格納されるプログラムにより選択的に起動または再構築される汎用コンピューティングデバイスを含んでもよい。これらプログラムは、フロッピー（登録商標）ディスク、光ディスク、ＣＤ−ＲＯＭ、磁気光ディスク、読み取り専用メモリ（ＲＯＭ）、ランダムアクセスメモリ（ＲＡＭ）、消去可能ＰＲＯＭ（ＥＰＲＯＭ）、電気的消去可能ＰＲＯＭ（ＥＥＰＲＯＭ）、フラッシュメモリ、磁気カードまたは光カード、または、電子命令を格納するのに適した、コンピューティングデバイスのシステムバスに連結することのできる任意の他の種類の媒体等であるが、これらに限定はされない格納媒体上に格納することができる。
【００１４】
ここに提示する処理およびディスプレイは、本質的に、特にいずれのコンピューティングデバイスまたは他の装置に関しているわけではない。ここに記載する教示に則ったプログラムを有する様々な汎用システムを利用することもでき、あるいは、所望の方法を実行するためには、より専門化された装置を構築するほうが好適であると証明されることも場合もあるだろう。これらの様々なシステムにおける好適な構造は、以下の記載から明らかになる。加えて、本発明の実施形態は、特にいずれのプログラミング言語との関連で記載されるわけではない。ここに記載する本発明の教示を実装するためには、様々なプログラミング言語の利用が可能であることが理解されよう。
【００１５】
以下の記載および請求項では、連結および接続といった用語が、派生語とともに利用されている場合がある。特定の実施形態では、接続とは、２以上のエレメントが互いに直接物理的または電気的接触状態にあることを意味している。連結も、２以上のエレメントが直接物理的または電気的接触状態にあることを意味しうる。しかし、連結はさらに、２以上のエレメントが直接接触状態にはないが、互いと協働したり、相互作用したりすることができる場合も含む。
【００１６】
本発明の実施形態は、ＷｉＭＡＸ  ＯＭＡ  ＤＭ起動セッション自身内の実際の値を利用して、それが実際の起動されるまで、ＷｉＭＡＸデバイスが集めるのが非常に困難な値の一意の組み合わせ（事実上、さもなくば生成できないようなもの）を生成する。従って、ＷｉＭＡＸデバイスは、これが、あるネットワークサービスプロバイダ（ＮＳＰ）により起動されたということを証明することができる。より詳しくは、本発明の実施形態は、ＤＭコマンドからのこれらの値を利用して、サブスクライバのセットアップおよび認証セットアップに関するＤＭツリーのパラメータを操作する。セッション内のこれらコマンドは、以下のようにしてＯＭＡ  ＤＭツリーパスにより検知することができる（この特定のツリーパスは例示にすぎない点に留意されたい）。
【表１】
0005627672.tif 000002
【００１７】
これは、図２Ａおよび図２Ｂの２００として概略が示されている、ＯＭＡ  ＤＭセッションのＷｉＭＡＸフォーラム規格および無線（ＯＴＡ）によるプロビジョンのためのパラメータに従って規定されている。ＷｉＭＡＸ規格が今後開発および成長する段階において、図２Ａおよび図２Ｂも変化すると思われるので、これらの図２Ａおよび図２Ｂは、単に本発明の一実装例を完全に記載する目的のみを有する実施形態の一例にすぎない。２１０−２７０の論理分岐（オブジェクト、機能）は、全ての実装例に存在してよいが、ツリーの正確な構造は変化することがあり、これらの変形例も本発明の範囲内に含まれることが意図されている。本発明のＷｉＭＡＸの実施形態は、ＷｉＭＡＸＳｕｐｐ２１０、オペレータ２２０、ネットワークパラメータ２３０、サブスクリプションパラメータ２４０、ＲｏｏｔＣＡ２５０、コンタクト２６０、および、ＴＯ−ＩＰ−ＲＥＦ２７０を含む上位のツリーのコンポーネントを含んでよい。
【００１８】
本発明の実施形態におけるＯＭＡ  ＤＭセッションからは、（１）ＩＰアドレス等のＤＭサーバパラメータ、（２）認証パラメータのプロビジョンが生じたＤＭセッションのセッションＩＤ、（３）認証パラメータのプロビジョンコマンドを含む、ＤＭセッション内のＤＭメッセージのメッセージＩＤといったＯＭＡ  ＤＭ起動セッション内の実際の値が、とられてよい。これらの実際の値のいずれかまたは全ては、特定のＷｉＭＡＸデバイスＩＤおよび特定の日時についてＮＳＰごとの値の一意の組み合わせを生成するために用いられる。本発明のさらなる実施形態では、セッションをプロビジョンするＷＩＭＡＸ無線ネットワーク等の無線ネットワーク中に接続切断を安全に処理する。本発明の実施形態のコンポーネントとしては、（１）移動局（ＭＳ）−ＯＭＡ  ＤＭクライアントを含むノートブック、ＭＩＤ、その他、ＷｉＭＡＸモデムおよびＷｉＭＡＸスタックを有するもの等のＷｉＭＡＸデバイス、（２）ＯＭＡ  ＤＭプロビジョンサーバ−ＷｉＭＡＸデバイスのプロビジョンを担当する、ＷｉＭＡＸコアネットワーク側のサーバ、（３）（現在の）ＯＭＡ  ＤＭツリー−アクティブなプロビジョン情報を維持するＷｉＭＡＸデバイス側に維持されるデータベースであり、ＯＭＡ  ＤＭサーバは、ＷｉＭＡＸプロビジョン中にこのデータベースに対する修正を要求するが、変更は、ＭＳによりある時点のみに行われる、（４）（新たな）ＯＭＡ  ＤＭツリー−本発明の実施形態は、現在のＯＭＡ  ＤＭデータベースのコピーを定義する。このコピーはＷｉＭＡＸデバイス側に維持され、最新のプロビジョン情報を維持する。このデータベースは、ＯＭＡ  ＤＭサーバによって、ＯＭＡ  ＤＭセッション中にオンザフライで変更される。
【００１９】
動作に関して説明すると、本発明の実施形態では、ＯＭＡ  ＤＭサーバが移動局（ＭＳ）とのセッションを構築するときにはいつでも、ＭＳが、ＷｉＭＡＸ  ＯＴＡ仕様およびＯＭＡ  ＤＭ規格に従ってＯＭＡ  ＯＭサーバと相互作用する。ＯＭＡ  ＤＭサーバがプロビジョン情報に対して行う変更は、ＭＳにより記録される（つまり、ＭＳが、ＯＭＡ  ＤＭサーバがプッシュ配信した新たな情報全てを含む、ＯＭＡ  ＤＭツリーの更新版を維持している。）。
【００２０】
この情報は、ＯＭＡ  ＤＭセッションが無事に完了すると適用される。ＭＡは、現在のＯＭＡ  ＤＭツリーを、新たな更新されたＯＭＡ  ＤＭツリーで置き換える。ＯＭＡ  ＤＭセッションが無事に完了しない場合には、新たなＯＭＡ  ＤＭツリーのコピーは、別に格納される（例えばディスク内に）が、現在のＯＭＡ  ＤＭツリーに対する変更は行わない。
【００２１】
新たなＯＭＡ  ＤＭセッションを生成する場合には、ＯＭＡ  ＤＭサーバに反映されるＯＭＡ  ＤＭツリーは、新たなＯＭＡ  ＤＭツリー（完了していない最後のセッションからの修正を含むもの）である。ＯＭＡ  ＤＭサーバは、新たなＯＭＡ  ＤＭツリーの修正を続けることができる。このプロセスは、ＯＭＡセッションが無事に完了してもしなくても、繰り返すことができる。
【００２２】
本発明の幾つかの特徴を例示して、説明してきたが、当業者であれば数多くの変形例、代替例、変更例、および均等例を思いつくであろう。従って、添付請求項は、これら全ての変形例および変更例が本発明の真の精神に含まれることを意図している。以下に本発明の実施形態の例を項目として示す。
［項目１］
オープン・モバイル・アライアンス・デバイス管理（ＯＭＡ  ＤＭ）起動セッション内の実際の値を利用して、あるネットワークサービスプロバイダ（ＮＳＰ）による起動を検証するための、無線ネットワークで動作可能なモバイルデバイスについての値の一意の組み合わせを生成する段階を備える方法。
［項目２］
無線ネットワークは、米国電気電子学会（ＩＥＥＥ）８０２．１６（ＷｉＭＡＸ）規格に準拠して動作する項目１に記載の方法。
［項目３］
ＤＭコマンドからの値を利用し、サブスクライバセットアップおよび認証セットアップに関するＤＭのツリーのパラメータを操作する段階をさらに備える項目２に記載の方法。
［項目４］
セッション内のＤＭコマンドは、ＯＭＡ  ＤＭセッションのＷｉＭＡＸ規格と、無線（ＯＴＡ）プロビジョンのためのパラメータとに従って規定されたＯＭＡ  ＤＭツリーパスにより検知される項目３に記載の方法。
［項目５］
ＯＭＡ  ＤＭセッションから、ＩＰアドレスを含むＤＭサーバパラメータと、認証パラメータのプロビジョンが生じたＤＭセッションのセッションＩＤと、認証パラメータのプロビジョンコマンドを含むＤＭセッション内のＤＭメッセージのメッセージＩＤとが含まれる値が取り出され、
値のいずれかまたは全ての組み合わせは、特定のＷｉＭＡＸデバイスＩＤおよび特定の日時についての、ＮＳＰごとの固有の番号である項目４に記載の方法。
［項目６］
ＷｉＭＡＸデバイスＩＤはＭＡＣアドレスであり、ＷｉＭＡＸデバイスまたはＮＳＰ以外の実体は、ＷｉＭＡＸデバイス上の実際の起動セッションに実際にアクセスを有さない場合には完全な組み合わせを容易には導出することができない項目５に記載の方法。
［項目７］
ＷｉＭＡＸプロビジョンセッション中に接続切断を安全に処理する方法であって、
ＯＭＡ  ＤＭサーバにより、移動局（ＭＳ）との間でセッションを構築する段階であって、ＭＳが、ＯＭＡ  ＤＭサーバと相互作用して、ＯＭＡ  ＤＭサーバがプロビジョン情報に対して行う変更をＭＳにより記録する段階と、
ＯＭＡ  ＤＭセッションが無事に完了すると、ＭＳが現在のＯＭＡ  ＤＭツリーを新たな更新されたＯＭＡ  ＤＭツリーで置き換えることにより、プロビジョン情報を適用して、ＯＭＡ  ＤＭセッションが無事に完了しない場合には、新たなＯＭＡ  ＤＭツリーのコピーを別に格納するが、現在のＯＭＡ  ＯＭツリーに対する変更は行わない段階と、
を備える方法。
［項目８］
新たなＯＭＡ  ＤＭセッションを作成する場合には、ＯＭＡ  ＤＭサーバに反映されるＯＭＡ  ＤＭツリーは、完了していない最後のセッションからの修正を含む新たなＯＭＡ  ＤＭツリーであり、その後、ＯＭＡ  ＤＭサーバは、新たなＯＭＡ  ＤＭツリーの修正を続ける項目７に記載の方法。
［項目９］
ＭＳとＯＭＡ  ＤＭサーバとの間の相互作用は、米国電気電子学会（ＩＥＥＥ）８０２．１６（ＷｉＭＡＸ）ＯＴＡ仕様およびＯＭＡ  ＤＭ規格に従って行われる項目７に記載の方法。
［項目１０］
ＭＳによる記録は、ＭＳが、ＯＭＡ  ＤＭサーバがプッシュ配信した新たな情報全てを含むＯＭＡ  ＤＭツリーの更新版を維持することにより行われる項目９に記載の方法。
［項目１１］
無線ネットワークで動作可能なモバイルデバイスを備える装置であって、
モバイルデバイスは、オープン・モバイル・アライアンス・デバイス管理（ＯＭＡ  ＤＭ）起動セッション内の実際の値を利用して、あるネットワークサービスプロバイダ（ＮＳＰ）による起動を検証するための、モバイルデバイスについての値の一意の組み合わせを生成する、
装置。
［項目１２］
無線ネットワークは、米国電気電子学会（ＩＥＥＥ）８０２．１６（ＷｉＭＡＸ）規格に準拠して動作する項目１１に記載の装置。
［項目１３］
モバイルデバイスは、ＤＭコマンドからの値を利用し、サブスクライバセットアップおよび認証セットアップに関するＤＭのツリーのパラメータを操作する項目１２に記載の装置。
［項目１４］
セッション内のＤＭコマンドは、ＯＭＡ  ＤＭセッションのＷｉＭＡＸ規格と、無線（ＯＴＡ）プロビジョンのためのパラメータとに従って規定されたＯＭＡ  ＤＭツリーパスにより検知される項目１３に記載の装置。
［項目１５］
ＯＭＡ  ＤＭセッションから、ＩＰアドレスを含むＤＭサーバパラメータと、認証パラメータのプロビジョンが生じたＤＭセッションのセッションＩＤと、認証パラメータのプロビジョンコマンドを含むＤＭセッション内のＤＭメッセージのメッセージＩＤとが含まれる値が取り出され、
値のいずれかまたは全ての組み合わせは、特定のＷｉＭＡＸデバイスＩＤおよび特定の日時についての、ＮＳＰごとの固有の番号である項目１４に記載の装置。
［項目１６］
ＷｉＭＡＸデバイスＩＤはＭＡＣアドレスであり、ＷｉＭＡＸデバイスまたはＮＳＰ以外の実体は、ＷｉＭＡＸデバイス上の実際の起動セッションに実際にアクセスを有さない場合には完全な組み合わせを容易には導出することができない項目１５に記載の装置。
［項目１７］
装置であって、
ＯＭＡ  ＤＭサーバによりセッションを構築する移動局（ＭＳ）であって、ＭＳが、ＯＭＡ  ＤＭサーバと相互作用して、ＯＭＡ  ＤＭサーバがプロビジョン情報に対して行う変更をＭＳにより記録するＭＳを備え、
ＯＭＡ  ＤＭセッションが無事に完了すると、ＭＳが現在のＯＭＡ  ＤＭツリーを新たな更新されたＯＭＡ  ＤＭツリーで置き換えることにより、プロビジョン情報を適用して、ＯＭＡ  ＤＭセッションが無事に完了しない場合には、新たなＯＭＡ  ＤＭツリーコピーを別に格納するが、現在のＯＭＡ  ＯＭツリーに対する変更は行わない装置。
［項目１８］
新たなＯＭＡ  ＤＭセッションを作成する場合には、ＯＭＡ  ＤＭサーバに反映されるＯＭＡ  ＤＭツリーは、完了していない最後のセッションからの修正を含む新たなＯＭＡ  ＤＭツリーであり、その後、ＯＭＡ  ＤＭサーバは、新たなＯＭＡ  ＤＭツリーの修正を続ける項目１７に記載の装置。
［項目１９］
ＭＳとＯＭＡ  ＤＭサーバとの間の相互作用は、米国電気電子学会（ＩＥＥＥ）８０２．１６（ＷｉＭＡＸ）ＯＴＡ仕様およびＯＭＡ  ＤＭ規格に従って行われる項目１７に記載の装置。
［項目２０］
ＭＳによる記録は、ＭＳが、ＯＭＡ  ＤＭサーバがプッシュ配信した新たな情報全てを含むＯＭＡ  ＤＭツリーの更新版を維持することにより行われる項目１９に記載の装置。
【図１】
0005627672.tif 000003
【図２Ａ】
0005627672.tif 000004
【図２Ｂ】
0005627672.tif 000005